(57)【特許請求の範囲】
【請求項１】
車台上に搭載され、後方に後方開口部を有した塵芥収容箱と、
前記塵芥収容箱の後方開口部に傾動可能に連設された塵芥投入箱と、
前記塵芥投入箱の内部に装備され、一端部を軸として回動する圧縮板を用いて塵芥を圧縮させつつ前記塵芥収容箱に積み込み可能な塵芥積込装置と、
前記塵芥収容箱内において車体前後方向に移動可能に設けられ、前記塵芥収容箱の内部空間を前記塵芥積込装置により塵芥が積み込まれる塵芥収容空間と車体前方の前方空間とに区画する排出板と、
前記前方空間内に設けられ、前記排出板を車体前後方向に移動させて前記塵芥収容空間の容積を変化させることが可能な排出シリンダと、
を備えた塵芥収集車であって、
前記圧縮板が、
前記圧縮板の一端部側に設けられた第１の面と、
前記第１の面の前記一端部側と反対側の端部から、前記第１の面に対して圧縮方向側に傾斜形成された第２の面と、
前記第２の面上に、塵芥に喰い込み可能に設けられた少なくとも１つの第１の喰込歯と、
前記第１の面上に、塵芥に喰い込み可能に設けられた複数の第２の喰込歯と、を有し、
前記第２の喰込歯が、前記第１の面の前記一端部側の端部から前記第２の面側の端部にわたって敷設された長形部材であり、
前記第２の喰込歯の長手方向の中心線を含み且つ前記第１の面と直交する仮想平面からずれるように、前記第１の喰込歯が前記第２の面上に配置されていることを特徴とする塵芥収集車。
【請求項２】
前記第１の面上において、前記第２の喰込歯同士の間に、塵芥に喰い込み可能に設けられた第３の喰込歯が複数設けられており、
前記第３の喰込歯が、前記第１の面の略中央部から前記第２の面側の端部にわたって敷設された長形部材であることを特徴とする請求項１記載の塵芥収集車。
【請求項３】
前記第３の喰込歯の長手方向の中心線を含み且つ前記第１の面と直交する仮想平面からずれるように、前記第１の喰込歯が前記第２の面上に配置されていることを特徴とする請求項２に記載の塵芥収集車。
【請求項４】
車台上に搭載され、後方に後方開口部を有した塵芥収容箱と、
前記塵芥収容箱の後方開口部に傾動可能に連設された塵芥投入箱と、
前記塵芥投入箱の内部に装備され、一端部を軸として回動する圧縮板を用いて塵芥を圧縮させつつ前記塵芥収容箱に積み込み可能な塵芥積込装置と、
前記塵芥収容箱内において車体前後方向に移動可能に設けられ、前記塵芥収容箱の内部空間を前記塵芥積込装置により塵芥が積み込まれる塵芥収容空間と車体前方の前方空間とに区画する排出板と、
前記前方空間内に設けられ、前記排出板を車体前後方向に移動させて前記塵芥収容空間の容積を変化させることが可能な排出シリンダと、
を備えた塵芥収集車であって、
前記圧縮板が、
前記圧縮板の一端部側に設けられた第１の面と、
前記第１の面の前記一端部側と反対側の端部から、前記第１の面に対して圧縮方向側に傾斜形成された第２の面と、
前記第２の面上に、塵芥に喰い込み可能に設けられた少なくとも１つの第１の喰込歯と、
前記第１の面上に、塵芥に喰い込み可能に設けられた複数の第２の喰込歯と、
前記第１の面上において、前記第２の喰込歯同士の間に、塵芥に喰い込み可能に設けられた複数の第３の喰込歯と、を有し、
前記第３の喰込歯が、前記第１の面の略中央部から前記第２の面側の端部にわたって敷設された長形部材であり、
前記第３の喰込歯の長手方向の中心線を含み且つ前記第１の面と直交する仮想平面からずれるように、前記第１の喰込歯が前記第２の面上に配置されていることを特徴とする塵芥収集車。
【請求項５】
車台上に搭載され、後方に後方開口部を有した塵芥収容箱と、
前記塵芥収容箱の後方開口部に傾動可能に連設された塵芥投入箱と、
前記塵芥投入箱の内部に装備され、一端部を軸として回動する圧縮板を用いて塵芥を圧縮させつつ前記塵芥収容箱に積み込み可能な塵芥積込装置と、
前記塵芥収容箱内において車体前後方向に移動可能に設けられ、前記塵芥収容箱の内部空間を前記塵芥積込装置により塵芥が積み込まれる塵芥収容空間と車体前方の前方空間とに区画する排出板と、
前記前方空間内に設けられ、前記排出板を車体前後方向に移動させて前記塵芥収容空間の容積を変化させることが可能な排出シリンダと、
を備えた塵芥収集車であって、
前記圧縮板が、
前記圧縮板の一端部側に設けられた第１の面と、
前記第１の面の前記一端部側と反対側の端部から、前記第１の面に対して圧縮方向側に傾斜形成された第２の面と、
前記第２の面上に、塵芥に喰い込み可能に設けられた少なくとも１つの第１の喰込歯と、
前記第１の面上に設けられ、車体左右方向に沿った先端部と、前記先端部を区切りとした第３の面及び第４の面とを有した断面山型形状の部材と、を有し、
前記第３の面が前記圧縮板の前記一端部側に設けられており、前記第３の面に第４の喰込歯が複数設けられ、
前記第４の面が前記第２の面側に設けられており、前記第４の面に第５の喰込歯が複数設けられ、
前記第３の面上において、前記第４の喰込歯が、前記第１の面の前記一端部側の端部から前記先端部にわたって敷設された長形部材であり、
前記第４の喰込歯の長手方向の中心線を含み且つ前記第１の面と直交する仮想平面上にあるように、前記第１の喰込歯が前記第２の面上に配置されていることを特徴とする塵芥収集車。
【請求項６】
前記第４の面上において、前記第５の喰込歯が、前記先端部から前記第２の面側の端部にわたって敷設された長形部材であり、
前記第５の喰込歯の長手方向の中心線を含み且つ前記第１の面と直交する仮想平面からずれるように、前記第１の喰込歯が前記第２の面上に配置されていることを特徴とする請求項５記載の塵芥収集車。
【請求項７】
車台上に搭載され、後方に後方開口部を有した塵芥収容箱と、
前記塵芥収容箱の後方開口部に傾動可能に連設された塵芥投入箱と、
前記塵芥投入箱の内部に装備され、一端部を軸として回動する圧縮板を用いて塵芥を圧縮させつつ前記塵芥収容箱に積み込み可能な塵芥積込装置と、
前記塵芥収容箱内において車体前後方向に移動可能に設けられ、前記塵芥収容箱の内部空間を前記塵芥積込装置により塵芥が積み込まれる塵芥収容空間と車体前方の前方空間とに区画する排出板と、
前記前方空間内に設けられ、前記排出板を車体前後方向に移動させて前記塵芥収容空間の容積を変化させることが可能な排出シリンダと、
を備えた塵芥収集車であって、
前記圧縮板が、
前記圧縮板の一端部側に設けられた第１の面と、
前記第１の面の前記一端部側と反対側の端部から、前記第１の面に対して圧縮方向側に傾斜形成された第２の面と、
前記第２の面上に、塵芥に喰い込み可能に設けられた少なくとも１つの第１の喰込歯と、
前記第１の面上に設けられ、車体左右方向に沿った先端部と、前記先端部を区切りとした第３の面及び第４の面とを有した断面山型形状の部材と、を有し、
前記第３の面が前記圧縮板の前記一端部側に設けられており、前記第３の面に第４の喰込歯が複数設けられ、
前記第４の面が前記第２の面側に設けられており、前記第４の面に第５の喰込歯が複数設けられ、
前記第４の面上において、前記第５の喰込歯が、前記先端部から前記第２の面側の端部にわたって敷設された長形部材であり、
前記第５の喰込歯の長手方向の中心線を含み且つ前記第１の面と直交する仮想平面からずれるように、前記第１の喰込歯が前記第２の面上に配置されていることを特徴とする塵芥収集車。
【請求項８】
請求項１〜７のいずれか１項に記載の前記第１の喰込歯の先端部、請求項１〜４のいずれか１項に記載の前記第２の喰込歯の先端部、請求項２〜５のいずれか１項に記載の前記第３の喰込歯の先端部、請求項５〜７のいずれか１項に記載の前記第４の喰込歯の先端部、及び、請求項５〜７のいずれか１項に記載の前記第５の喰込歯の先端部のうち少なくとも１つが、断面山型形状に形成されていることを特徴とする塵芥収集車。
【請求項９】
請求項１〜４のいずれか１項に記載の前記第２の喰込歯の塵芥に喰い込む部分となる頂部、請求項２〜５のいずれか１項に記載の前記第３の喰込歯の塵芥に喰い込む部分となる頂部、請求項５〜７のいずれか１項に記載の前記第４の喰込歯の塵芥に喰い込む部分となる頂部、及び、請求項５〜７のいずれか１項に記載の前記第５の喰込歯の塵芥に喰い込む部分となる頂部のうち少なくとも１つがのこぎり状に形成されていることを特徴とする塵芥収集車。
【請求項１０】
前記第１の喰込歯が、前記圧縮板の回動方向についての接線よりも前記第１の面側に傾いて突出していることを特徴とする請求項１〜９のいずれか１項に記載の塵芥収集車。
【発明の詳細な説明】
【技術分野】
【０００１】
本発明は、塵芥が収容される塵芥収容箱と、この塵芥収容箱の後方開口部に連設され、内部に塵芥積込装置を装備した塵芥投入箱とを備えた塵芥収集車に関するものである。
【背景技術】
【０００２】
従来、塵芥収集車としては、例えば下記特許文献１に記載のように、テールゲート（塵芥投入箱）の内部に配置されたディフレクタと、前記ディフレクタに沿うように設けられたガイドレールと、前記ガイドレールに沿って昇降する積込板と、前記積込板の下部に支持され、塵芥に押圧する複数の突起が突設された押圧面を有する押圧板と、前記押圧板との相対移動の過程において前記突起の間を移動する部材とを備えた塵芥積込装置を有しているものがある。
【先行技術文献】
【特許文献】
【０００３】
【特許文献１】特開２００７−３０２４１０号公報
【発明の開示】
【発明が解決しようとする課題】
【０００４】
ところが、上記特許文献１の塵芥収集車においてダンボールなどの嵩張る塵芥を塵芥積込装置により塵芥収容箱に積み込む際、ダンボールなどの嵩張る塵芥の構造ゆえに、該塵芥が押圧板（圧縮板）から滑落してしまうことがあった。
【０００５】
そこで、本発明においては、ダンボールなどの嵩張る塵芥を塵芥積込装置により塵芥収容箱に積み込む際に、塵芥を押圧板（圧縮板）から滑落しにくくして効率的に塵芥収容箱内の塵芥収容空間に収容することができる塵芥収集車を提供することを目的とする。
【課題を解決するための手段】
【０００６】
（１）本発明の塵芥収集車は、車台上に搭載され、後方に後方開口部を有した塵芥収容箱と、前記塵芥収容箱の後方開口部に傾動可能に連設された塵芥投入箱と、前記塵芥投入箱の内部に装備され、一端部を軸として回動する圧縮板を用いて塵芥を圧縮させつつ前記塵芥収容箱に積み込み可能な塵芥積込装置と、前記塵芥収容箱内において車体前後方向に移動可能に設けられ、前記塵芥収容箱の内部空間を前記塵芥積込装置により塵芥が積み込まれる塵芥収容空間と車体前方の前方空間とに区画する排出板と、前記前方空間内に設けられ、前記排出板を車体前後方向に移動させて前記塵芥収容空間の容積を変化させることが可能な排出シリンダとを備えたものであって、前記圧縮板が、前記圧縮板の一端部側に設けられた第１の面と、前記第１の面の前記一端部側と反対側の端部から、前記第１の面に対して圧縮方向側に傾斜形成された第２の面と、前記第２の面上に塵芥に喰い込み可能に設けられた少なくとも１つの第１の喰込歯とを有していることを特徴とする。
【０００７】
上記（１）の構成によれば、簡易な構成でありながら、ダンボールなどの嵩張る塵芥を塵芥積込装置により塵芥収容箱に積み込む際に、第１の喰込歯で塵芥に喰い込むことにより、塵芥を圧縮板から滑落しにくくして効率的に塵芥収容箱内の塵芥収容空間に収容することができる。
【０００８】
（２）上記（１）の塵芥収集車においては、前記第１の面上に、塵芥に喰い込み可能に設けられた第２の喰込歯が複数設けられていることが好ましい。
【０００９】
上記（２）の構成によれば、第１の喰込歯と第２の喰込歯とで、塵芥に喰い込むことにより、塵芥を圧縮板から滑落しにくくして効率的に塵芥収容箱内の塵芥収容空間に収容することができる。
【００１０】
（３）上記（２）の塵芥収集車においては、前記第２の喰込歯が、前記第１の面の前記一端部側の端部から前記第２の面側の端部にわたって敷設された長形部材であり、前記第２の喰込歯の長手方向の中心線を含み且つ前記第１の面と直交する仮想平面からずれるように、前記第１の喰込歯が前記第２の面上に配置されていることが好ましい。
【００１１】
上記（３）の構成によれば、第１の喰込歯と第２の喰込歯とがずれるように構成されているので、塵芥に喰い込み易くなり、塵芥を圧縮板からより滑落しにくくして効率的に塵芥収容箱内の塵芥収容空間に収容することができる。
【００１２】
（４）上記（２）又は（３）の塵芥収集車においては、前記第１の面上において、前記第２の喰込歯同士の間に、塵芥に喰い込み可能に設けられた第３の喰込歯が複数設けられており、前記第３の喰込歯が、前記第１の面の略中央部から前記第２の面側の端部にわたって敷設された長形部材であることが好ましい。
【００１３】
上記（４）の構成によれば、第１の喰込歯、第２の喰込歯とともに、塵芥に喰い込むことにより、塵芥を圧縮板からより滑落しにくくして効率的に塵芥収容箱内の塵芥収容空間に収容することができる。
【００１４】
（５）上記（４）の塵芥収集車においては、前記第３の喰込歯の長手方向の中心線を含み且つ前記第１の面と直交する仮想平面からずれるように、前記第１の喰込歯が前記第２の面上に配置されていることが好ましい。
【００１５】
上記（５）の構成によれば、第１の喰込歯と第３の喰込歯の位置がずれるように構成されているので、塵芥に喰い込み易くなり、塵芥を圧縮板からより滑落しにくくして効率的に塵芥収容箱内の塵芥収容空間に収容することができる。
【００１６】
（６）上記（１）の塵芥収集車においては、前記第１の面上に設けられ、車体左右方向に沿った先端部と、前記先端部を区切りとした第３の面及び第４の面とを有した断面山型形状の部材をさらに備え、前記第３の面が前記圧縮板の前記一端部側に設けられており、前記第３の面に第４の喰込歯が複数設けられ、前記第４の面が前記第２の面側に設けられており、前記第４の面に第５の喰込歯が複数設けられていることが好ましい。
【００１７】
上記（６）の構成によれば、第１の喰込歯、第４の喰込歯、第５の喰込歯が協働して塵芥に喰い込むことにより、塵芥を圧縮板からより滑落しにくくして効率的に塵芥収容箱内の塵芥収容空間に収容することができる。
【００１８】
（７）上記（６）の塵芥収集車においては、前記第３の面上において、前記第４の喰込歯が、前記第１の面の前記一端部側の端部から前記先端部にわたって敷設された長形部材であり、前記第４の喰込歯の長手方向の中心線を含み且つ前記第１の面と直交する仮想平面上にあるように、前記第１の喰込歯が前記第２の面上に配置されていることが好ましい。
【００１９】
上記（７）の構成によれば、第１の喰込歯と第４の喰込歯とが、第５の喰込歯とで協働して塵芥に喰い込み易くなるので、塵芥を圧縮板からより滑落しにくくして効率的に塵芥収容箱内の塵芥収容空間に収容することができる。
【００２０】
（８）上記（６）又は（７）の塵芥収集車においては、前記第４の面上において、前記第５の喰込歯が、前記先端部から前記第２の面側の端部にわたって敷設された長形部材であり、前記第５の喰込歯の長手方向の中心線を含み且つ前記第１の面と直交する仮想平面からずれるように、前記第１の喰込歯が前記第２の面上に配置されていることが好ましい。
【００２１】
上記（８）の構成によれば、第１の喰込歯と第５の喰込歯の位置がずれるように構成されているので、塵芥に喰い込んでいることにより、塵芥を圧縮板からより滑落しにくくして効率的に塵芥収容箱内の塵芥収容空間に収容することができる。
【００２２】
（９）上記塵芥収集車における、前記第１の喰込歯の先端部、前記第２の喰込歯の先端部、前記第３の喰込歯の先端部、前記第４の喰込歯の先端部、及び、前記第５の喰込歯の先端部のうち少なくとも１つが、断面山型形状に形成されていることが好ましい。
【００２３】
（１０）上記塵芥収集車における、前記第２の喰込歯の塵芥に喰い込む部分となる頂部、前記第３の喰込歯の塵芥に喰い込む部分となる頂部、前記第４の喰込歯の塵芥に喰い込む部分となる頂部、及び、前記第５の喰込歯の塵芥に喰い込む部分となる頂部のうち少なくとも１つに、のこぎり形状が形成されていることが好ましい。
【００２４】
（１１）上記（１）〜（１０）の塵芥収集車においては、前記第１の喰込歯が、前記圧縮板の回動方向の接線よりも前記第１の面側に向いて突出していることが好ましい。
【００２５】
上記（９）〜（１１）の構成によれば塵芥により喰い込み易くしているので、塵芥を圧縮板から滑落させにくくすることができる。特に、第１の喰込歯の他に喰込歯がある場合には、第１の喰込歯が他の喰込歯とともに協働して塵芥に喰い込み易しているので、塵芥を圧縮板から滑落させにくくすることができる。
また、特に（１０）の構成によれば、喰込歯に設けられたのこぎり形状部分により塵芥を細かく切り裂きながら塵芥を塵芥収容空間に収容するので、塵芥収容空間における塵芥の圧縮率を高めることができる。
【図面の簡単な説明】
【００２６】
【図１】本発明の実施の形態における塵芥収集車の塵芥収容箱及び塵芥投入箱を断面にて示す側面図である。
【図２】図１の塵芥収容箱内の排出板及びデッキを示す塵芥収容箱の斜視図である。
【図３】図１の圧縮板の拡大図である。
【図４】図３の圧縮板のＡ方向矢視図である。
【図５】本発明の実施の形態の変形例１を示す図であって、圧縮板の拡大図である。
【図６】図５の圧縮板のＢ方向矢視図である。
【図７】本発明の実施の形態の変形例２を示す図であって、圧縮板の拡大図である。
【図８】図７の圧縮板のＣ方向矢視図である。
【発明を実施するための形態】
【００２７】
以下、本発明の実施の形態について図１〜図４に基づいて説明する。図１は本発明の実施の形態における塵芥収集車の塵芥収容箱及び塵芥投入箱を断面にて示す側面図、図２は図１の塵芥収容箱内の排出板及びデッキ（塵芥収容箱の内底部）を示す塵芥収容箱の斜視図、図３は図１の圧縮板の拡大図、図４は図３のＡ方向矢視図である。なお、以下の説明において、前後方向は車体の進行方向と同じ方向を指すものとし、左右方向は車体の前方に向かって左右方向を指すものとする。
【００２８】
図１において、本発明の実施の形態における塵芥収集車１００は、車台１上に、塵芥収容箱２と、塵芥投入箱３とが搭載されたものである。塵芥投入箱３は、塵芥収容箱２の後端の後方開口部４の上方で投入箱支持ピン３ａにより軸支されており、この投入箱支持ピン３ａを中心に傾動自在になっている。そして、この塵芥投入箱３を上方に傾動した状態で塵芥収容箱２内に設けられた排出板６を車体後方に移動することにより、塵芥収容箱２内に収容した塵芥を排出することができるようになっている。
【００２９】
塵芥投入箱３の後面下部には、塵芥を投入する塵芥投入口５が開口されている。塵芥投入箱３の内部には、圧縮式の塵芥積込装置３０が装備されている。塵芥積込装置３０は、塵芥投入箱３内に塵芥投入口５を通じて投入された塵芥を圧縮して、塵芥収容箱２に積み込むためのものである。
【００３０】
＜塵芥収容箱の構成＞
図２に示すように、塵芥収容箱２の内部には、排出板６が車台１の前後方向にデッキ７上を移動自在に配設されている。排出板６は、略垂直面６ａと傾斜面６ｂとを有し、塵芥収容箱２の横幅及び上下高さと略同じ大きさに形成された板状体である。この排出板６によって、塵芥収容箱２の内部空間は、塵芥積込装置３０により後方開口部４から積み込まれた塵芥を収容する塵芥収容空間２ａと、その前方の前方空間２ｂとに区画されている。
【００３１】
また、図１に示すように、排出板６は、塵芥収容箱２内で車台１の前後方向に摺動する支持フレーム８に支持されている。支持フレーム８の左右両側縁には、排出板６の車台１の前後方向への移動をガイドするガイド部を構成する溝形鋼で構成された案内溝部材９が設けられている。塵芥収容箱２内の左右両側面の下部には、この案内溝部材９とともにガイド部を構成する案内凸部材１０が車台１の前後方向に延設されている。
【００３２】
また、塵芥収容箱２の前方空間２ｂには、伸縮動作により排出板６を車台１の前後方向に移動させる排出シリンダ１１が備えられている。排出シリンダ１１は、一端が塵芥収容箱２の内部前方の上部位置に軸支され、他端が支持フレーム８の下部に軸支されている。この排出シリンダ１１が伸長したときには、排出板６を塵芥収容箱２の後方開口部４に近接させて、塵芥収容空間２ａの容積を最小にする一方、排出シリンダ１１が縮退することにより、塵芥収容空間２ａの容積を増大変更することができるようになっている。
【００３３】
また、図２に示すように、デッキ７上には、塵芥積込装置３０による塵芥収容箱２への塵芥の積み込みをガイドする複数の帯板状部材、角パイプ又は断面山型状部材からなるスチフナ１２Ａ、１２Ｂが、塵芥収容箱２内底部の中央に対して略左右対称に設けられている。
【００３４】
さらに説明すると、スチフナ１２Ａにおいては、後方開口部４側から塵芥収容箱２の途中まで平行直線状に設けられた１対のレール部１２ａと、レール部１２ａの車体前方側の端部から塵芥収容箱２の両側面方向に拡がるように延設された１対の逆ハの字型のデッキ案内部１２ｂとを有している。ここで、一変形例として、レール部１２ａはなくてもよい。また、レール部１２ａとデッキ案内部１２ｂとは接続されていなくともよい。また、レール部１２ａは、デッキ案内部１２ｂに塵芥を案内できる位置にあれば、デッキ７上のいずれの位置に設けられていてもよい。
【００３５】
スチフナ１２Ｂにおいては、スチフナ１２Ａと同様の構成を有しているが、デッキ７上においてスチフナ１２Ａの内側（塵芥収容箱２中央部側）に設けられており、スチフナ１２Ａと比較して１対のスチフナ同士の間隔が狭く構成されている。なお、スチフナ１２Ｂは、上述のスチフナ１２Ａの変形例と同構成であってもよい。
【００３６】
これらスチフナ１２Ａ、１２Ｂにより、塵芥収容箱２内の塵芥の対流は、塵芥収容箱２内の中央部から左右両側面に向くようになっている。したがって、スチフナ１２Ａ、１２Ｂにより、投入された塵芥は塵芥収容空間２ａ内の一方の側面付近に偏って集まってしまったり、中央だけに集まってしまったりしないように両側面方向に分散して塵芥収容箱２内に収容されることになる（スチフナ１２Ａ、１２Ｂによる分散効果）。なお、ここでのスチフナ１２Ａ、１２Ｂは、どちらか１対でも構わないし、さらに同様のスチフナが設けられた構成であってもよい。また、スチフナの配設位置はスチフナ１２Ａ、１２Ｂと同様の場合に限られず、スチフナ１２Ａ、１２Ｂと同様の効果を奏するのであれば、デッキ７上のいずれの位置に配設されてもよい。
【００３７】
排出板６の傾斜面６ｂには、塵芥積込装置３０による塵芥収容箱２への塵芥の積み込みをガイドする帯板状部材、角パイプ又は断面山型状の１対のスチフナ（案内部）１３Ａ、１３Ｂが、塵芥収容箱２中央に対して左右対称に設けられている。さらに説明すると、スチフナ１３Ａにおいては、排出板６の傾斜面６ｂに沿って塵芥収容箱２の底面側から塵芥収容箱２の上部又は側面方向に拡がるように、１対で逆ハの字型に設けられている。スチフナ１３Ｂにおいては、スチフナ１３Ａと同様の構成を有しているが、傾斜面６ｂにおいてスチフナ１３Ａの内側（塵芥収容箱２中央部側）に設けられており、スチフナ１３Ａと比較して１対のスチフナ同士の間隔が狭く構成されている。
【００３８】
これらスチフナ１３Ａ、１３Ｂにより、排出板６に到達した塵芥収容箱２内の塵芥の対流は、塵芥収容箱２内の中央部から塵芥収容箱２内の左右両側面の上部側へ向くようになっている。したがって、スチフナ１３Ａ、１３Ｂにより、投入されて排出板６に到達した塵芥は塵芥収容空間２ａ内の一方の側面付近に偏って集まってしまったり、中央だけに集まってしまったりしないように両側面方向に分散して塵芥収容箱２内に収容されることになる（スチフナ１３Ａ、１３Ｂによる分散効果）。また、スチフナ１３Ａ、１３Ｂにおいては、上述のスチフナ１２Ａ、１２Ｂと合わせて、さらに分散効果を高めることができるようになっている。なお、ここでのスチフナ１３Ａ、１３Ｂはどちらか１対でも構わないし、さらに同様のスチフナが設けられた構成であってもよい。また、傾斜面６ｂにおけるスチフナの配設位置はスチフナ１３Ａ、１３Ｂの場合に限られず、スチフナ１３Ａ、１３Ｂと同様の効果を奏するのであれば、排出板６の後方面（略垂直面６ａ、傾斜面６ｂ）のいずれの位置に配設されていてもよい。
【００３９】
＜塵芥投入箱の構成＞
図１に示すように、塵芥投入箱３の左右両側壁には、溝形鋼で形成された案内溝部材１４が補強枠を兼ねて前方上部より後方下部に向かって敷設されている。塵芥投入箱３内には、その横幅方向全体に広がる摺動板１５が収容されている。この摺動板１５の左右両側縁の上下には、案内ローラ１６が回転可能に設けられている。これらの案内ローラ１６は、案内溝部材１４の内壁に沿って転動自在に嵌入されている。
【００４０】
また、摺動板１５の後面上部の左右端部にはボス部１７が設けられている。このボス部１７には、摺動板支持軸１８が挿通されている。この摺動板支持軸１８は、塵芥投入箱３の左右両側壁に形成された摺動用開口１９を越えて塵芥投入箱３の内側より外側に突出するように配置されている。
【００４１】
また、塵芥投入箱３の左右両側壁からそれぞれ外側に突出した摺動板支持軸１８と塵芥投入箱３の下部間には、左右それぞれ塵芥投入箱３の外側に案内溝部材１４の傾斜方向に沿って配置された摺動シリンダ２０がそれぞれ連結されている。この摺動シリンダ２０の伸縮動作によって、摺動板１５は案内溝部材１４に沿って上下に往復移動する。
【００４２】
摺動板１５の下端には、塵芥投入箱３の幅方向全体に亘って延設された圧縮板２１が接続部２１ｂを介して前後方向に揺動可能に支持されている。この圧縮板２１の先端は前方に向かって若干屈曲形成されている。また、圧縮板２１の左右両後面には接続部２１ａが突設されている。この左右それぞれの接続部２１ａと、摺動板１５の後面上部に設けられた摺動板支持軸１８の左右両端部との間には、それぞれ揺動シリンダ２２が連結されている。この揺動シリンダ２２の伸縮動作によって、圧縮板２１は前後に揺動する。
【００４３】
図３及び図４に示すように、圧縮板２１は、圧縮板２１の一端部側に設けられた第１の面２１ｃと、第１の面２１ｃの一端部側と反対側の端部から、第１の面２１ｃに対して圧縮方向側に９０°以上の角度で傾斜形成された第２の面２１ｄとを備えている。第１の面２１ｃ上には、第１の面２１ｃの一端部側の端部から第２の面２１ｄ側の端部２１ｅにわたって敷設された長形部材からなるスチフナ（第２の喰込歯）２３と、第１の面２１ｃの略中央部から第２の面２１ｄ側の端部２１ｅにわたって敷設された長形部材からなるスチフナ（第３の喰込歯）２４とが、幅方向に交互に複数設けられている。なお、スチフナ２３及びスチフナ２４は、断面山型形状であって辺の１つが尖形形状部分の先端部となるように配置され、該先端部がのこぎり状に形成されている。ここでは、スチフナ２３の方がスチフナ２４より大きく形成されているが、これに限られない。
【００４４】
また、図３及び図４に示すように、第２の面２１ｄには、塵芥に喰い込むように圧縮板２１の回動方向の接線よりも第１の面２１ｃ側に向いて突出しているとともに、断面山型形状であって辺の1つが尖形形状部分の先端部となるように配置された複数のスチフナ（第１の喰込歯）２５が設けられている。このスチフナ２５は、第２の面２１ｄに対する取り付け部分が第１の面２１ｃと離間するように配設されている。また、スチフナ２５は、スチフナ２３の長手方向の中心線２３ａを含み且つ第１の面２１ｃと直交する仮想平面２６からずれるように、第２の面２１ｄ上に配置されている。また、スチフナ２５は、スチフナ２４の長手方向の中心線２４ａを含み且つ第１の面２１ｃと直交する仮想平面２７からもずれるように、第２の面２１ｄ上に配置されている。なお、圧縮板２１の作動時において、上述のスチフナ２３、２４、２５は、ダンボールなどの塵芥を協働して確実に押し潰すとともに、該塵芥に喰い込むことにより、塵芥を圧縮板２１から滑落させてしまわないようにしつつ、塵芥収容箱２に積み込むことが可能である。
【００４５】
＜塵芥収集車の動作＞
上記構成の塵芥積込装置３０により塵芥を塵芥収容箱２に積み込む場合は、まず図１に示すように排出シリンダ１１を伸長させて、排出板６を塵芥収容箱２内の最後方位置に配置し、摺動シリンダ２０及び揺動シリンダ２２がいずれも伸長して摺動板１５が上昇終了位置（最上位置）にある状態で、塵芥投入口５を通して塵芥を塵芥投入箱３内に投入する。そして、塵芥積込装置３０に対して積込指示がなされると、塵芥積込装置３０は、図１に示す状態から、揺動シリンダ２２が縮退作動して圧縮板２１が反転作動し、反転終了位置に達する（反転工程（図示せず））。この後、摺動シリンダ２０が縮退作動して摺動板１５が下降し、これに伴って圧縮板２１が下降する（下降工程（図示せず））。そして、図示しないが、圧縮板２１が下降終了位置に達すると、揺動シリンダ２２を伸長させて圧縮板２１を前方に揺動させ、圧縮工程に移行する。そして、圧縮板２１が圧縮終了位置まで揺動する（圧縮工程）と、摺動シリンダ２０を伸長させて圧縮板２１を上昇させる（上昇工程（図示せず））。この圧縮板２１が図１に示した上昇終了位置に達すると、一連の積込動作を終了する。これにより、圧縮板２１の反転、下降、圧縮、上昇の各工程を１サイクルとして塵芥積込動作を繰り返して行う。
【００４６】
そして、塵芥積込装置３０により積み込まれる塵芥が排出板６を押圧する力が所定以上に達した際に、排出シリンダ１１を縮退させることで、排出板６が徐々に前方に移動する。この排出板６の移動動作によって、塵芥収容空間２ａの容積を拡大させて、塵芥を圧縮しながら塵芥収容箱２内に積み込むことができるようになっている。このとき、塵芥がダンボールなどの嵩張る塵芥であっても、圧縮板２１の前面に設けられたスチフナ２３、２４、２５は、確実に該塵芥を押し潰すとともに喰い込み、該塵芥を圧縮板から滑落させてしまわないようにしつつ、後方開口部４から塵芥収容空間２ａ内に積み込む。そして、この積み込みの際、デッキ７のスチフナ１２Ａ、１２Ｂに接触している塵芥、及び、排出板６のスチフナ１３Ａ、１３Ｂに接触している塵芥は、圧縮板２１によって塵芥収容空間２ａ内に押し込まれながら各スチフナに沿って塵芥収容箱２内の左右両側面方向に別れて流れやすくなる。これにより、該塵芥は塵芥収容箱２の中央部だけでなく左右両側面に分散し、塵芥収容空間２ａ内に円滑に且つ無駄な隙間なく収容されることになる。
【００４７】
一方、塵芥を外部に排出する場合は、塵芥投入箱３を上方に傾動させて塵芥収容箱２の後部を開放した状態で、排出シリンダ１１を伸長させることで、塵芥収容箱２の前方に位置する排出板６を後方に移動させ、塵芥収容箱２内に収容された塵芥を排出することができるようになっている。このとき、排出板６のスチフナ１３Ａ、１３Ｂに接触している塵芥は、スチフナ１３Ａ、１３Ｂに沿って塵芥収容箱２内の中央下部から左右両側面の上部方向に別れて流れやすくなる。また、このとき、デッキ７のスチフナ１２Ａ、１２Ｂに接触している塵芥は、スチフナ１２Ａ、１２Ｂに沿って塵芥収容箱２の側面から中央部方向にずれやすくなる。これらにより、排出板６を後方に移動させた際には、塵芥収容箱２内に積み込まれた塵芥の塊を底部から崩しやすくすることができ、塵芥収容箱２内の塵芥を排出しやすくすることができる。
【００４８】
以上のように、本実施形態における塵芥収集車１００では、塵芥を塵芥積込装置３０により塵芥収容箱２に積み込む際、圧縮板２１のスチフナ２３、２４、２５によって、塵芥が従来よりも確実かつ効率良く協働して押し潰され、デッキ７のスチフナ１２Ａ、１２Ｂ及び排出板６のスチフナ１３Ａ、１３Ｂによって、塵芥は塵芥収容空間２ａ内の一方の側面付近に偏って集まってしまったり、中央部だけに集まってしまったりすることがなく両側面方向にも分散される。これにより、排出板６を前方へ移動させつつも、塵芥収容空間２ａ内に無駄な隙間を形成せずに、塵芥収容空間２ａの容積を拡大することができる。したがって、塵芥を効率良く塵芥収容空間２ａ内に収容することができ、塵芥収容箱２の塵芥積込量を従来よりも増加させることができる。また、塵芥収容箱の内底部に案内部材を設けたことにより、前記内底部に凹凸が形成され、塵芥収容箱の内底部と排出板下端との隙間にダンボールなどの塵芥が噛み込まないようにすることができる。さらに、ダンボールなどの塵芥の表面が濡れて、表面抵抗が大きくなってしまった場合でも、デッキ７のスチフナ１２Ａ、１２Ｂ及び排出板６のスチフナ１３Ａ、１３Ｂによって、塵芥をデッキ７及び排出板６の表面に張り付きにくくすることができるので、塵芥の積込作業性及び排出作業性を向上させることができる。これらにより、ダンボールなどの嵩張る塵芥を塵芥積込装置３０により塵芥収容箱２に積み込む際に、塵芥を効率良く塵芥収容箱２内の塵芥収容空間２ａに収容することができる。また、塵芥収容箱２ａ内の塵芥を効率良く排出することもできる。
【００４９】
また、略平行のレール部１２ａを介して、塵芥が塵芥収容箱２内のスチフナ１２Ａのデッキ案内部１２ｂへ滑り込みやすいとともに、略平行のレール部１２ａに載った後に、連続的に逆ハの字型の案内部１２ｂに載って塵芥収容箱２内の壁面方向へ流れやすくなる。これにより、塵芥の積込作業性をより向上させることができる。また、塵芥を排出する際には、レール部１２ａに載った塵芥はレール部１２ａに沿って後方へ排出されやすくなるので、塵芥の排出作業性をより向上させることができる。なお、スチフナ１２Ｂにおいてもスチフナ１２Ａと同様の効果を奏する。
【００５０】
以上、本発明の実施の形態を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。例えば、下記変形例１、２があげられる。
【００５１】
＜変形例１＞
第１実施形態における圧縮板２１の代わりに、図５及び図６に示した圧縮板４１を用いてもよい。以下、具体的に説明するが、上記実施形態における符号２１、２５と、本変形例における符号４１、４５については同様の部位なので、説明を省略する場合がある。
【００５２】
圧縮板４１は、圧縮板４１の一端部側に設けられた第１の面４１ｃと、第１の面４１ｃの一端部側と反対側の端部から、第１の面４１ｃに対して圧縮方向側に９０°以上の角度で傾斜形成された第２の面４１ｄとを備えている。第１の面４１ｃ上には、車体左右方向に沿った先端部４２ａと、先端部４２ａを区切りとした第３の面４２ｂ及び第４の面４２ｃとを有してなる断面山型形状の部材４２が設けられている。また、断面山型形状の部材４２上には、第１の面４１ｃの一端部側の端部から先端部４２ａにわたって敷設された長形部材からなるスチフナ（第４の喰込歯）４３と、先端部４２ａから第２の面４１ｄ側の端部４２ｅにわたって敷設された長形部材からなるスチフナ（第５の喰込歯）４４とが、複数設けられている。なお、スチフナ４３及びスチフナ４４は、断面山型形状であって辺の１つが尖形形状部分の先端部となるように配置されている。ここでは、スチフナ４４の方がスチフナ４３より大きく形成されているが、これに限られない。
【００５３】
また、図５及び図６に示すように、第２の面４１ｄには、塵芥に喰い込むように、断面山型形状であって辺の1つが尖形形状部分の先端部となるように配置された複数のスチフナ（第１の喰込歯）４５が設けられている。また、スチフナ４５は、スチフナ４３の長手方向の中心線４３ａを含み且つ第１の面４１ｃと直交する仮想平面４６からずれるように、第２の面４１ｄ上に配置されている。さらに、スチフナ４５は、スチフナ４４の長手方向の中心線４４ａを含み且つ第１の面４１ｃと直交する仮想平面４７からずれるように、第２の面４１ｄ上に配置されている。なお、圧縮板４１の作動時において、上述のスチフナ４３、４４、４５は、ダンボールなどの塵芥を協働して確実に押し潰すとともに、該塵芥に喰い込み、塵芥を圧縮板４１から滑落させてしまわないようにしつつ、塵芥収容箱に積み込むことが可能である。
【００５４】
＜変形例２＞
本変形例においては、上記変形例１とほぼ同様の構成であるが、変形例１のスチフナ４３、４４の代わりに、スチフナ５３、５４を用いている点で異なっているが、その他の部位は上記変形例１と同様であるので、説明を省略する場合がある。
【００５５】
スチフナ５３、５４のそれぞれは、変形例１のスチフナ４３、４４よりもやや細長い部材からなるものである。なお、スチフナ５４においては、先端部がのこぎり状に形成されている。圧縮板５１の作動時において、上述のスチフナ５３、５４、５５は、ダンボールなどの塵芥を協働して確実に押し潰すとともに、該塵芥に喰い込み、塵芥を圧縮板５１から滑落させてしまわないようにしつつ、塵芥収容箱に積み込むことが可能である。
【符号の説明】
【００５６】
１    車台
２    塵芥収容箱
２ａ    塵芥収容空間
２ｂ    前方空間
３    塵芥投入箱
３ａ    投入箱支持ピン
４    後方開口部
５    塵芥投入口
６    排出板
６ａ    略垂直面
６ｂ    傾斜面
７    デッキ
８    支持フレーム
９    案内溝部材
１０    案内凸部材
１１    排出シリンダ
１２Ａ、１２Ｂ、１３Ａ、１３Ｂ、２３、２４、２５、４３、４４、４５、５３、５４、５５    スチフナ
１２ａ    レール部
１２ｂ    デッキ案内部
１４    案内溝部材
１５    摺動板
１６    案内ローラ
１７    ボス部
１８    摺動板支持軸
１９    摺動用開口
２０    摺動シリンダ
２１、４１、５１    圧縮板
２１ａ、２１ｂ、４１ａ、４１ｂ、５１ａ、５２ｂ    接続部
２１ｃ、４１ｃ、５１ｃ    第１の面
２１ｄ、４１ｄ、５１ｄ    第２の面
２１ｅ、４１ｅ、５１ｅ    端部
２２    揺動シリンダ
３０    塵芥積込装置
４２、５２    山型部材
４２ｂ、５２ｂ    第３の面
４２ｃ、５２ｃ    第４の面
１００    塵芥収集車
【図１】
0006388505.tif 000002
【図２】
0006388505.tif 000003
【図３】
0006388505.tif 000004
【図４】
0006388505.tif 000005
【図５】
0006388505.tif 000006
【図６】
0006388505.tif 000007
【図７】
0006388505.tif 000008
【図８】
0006388505.tif 000009